(57)【要約】【課題】制御周期を切り換えることにより効率的にデバイスの温度補正制御を実施し、より多くの機能の搭載することができる無線基地局装置を実現する。【解決手段】増幅器２のデバイス３の温度レベルは温度センサ４によって常時検出され、デバイス３の温度は周期的なタイマ信号又は割込み信号をトリガとして、所定のタイミングで制御ユニット５の温度レベル差判定部７へ送信される。温度レベル差判定部７は、今回取得したデバイス３の温度レベルとメモリ６に格納されている前回取得したデバイス３の温度レベルとの差分（温度レベル差）を制御周期更新手段８へ送信する。制御周期更新手段８は温度レベル差に応じて温度補正処理の制御周期を更新する。従って、デバイス３の温度補正制御値（デバイス設定値）を最適に決定してデバイス３の温度補正制御処理を行うことができる。【選択図】  図１
2009188472.tif 000002
【特許請求の範囲】
【請求項１】
入力信号を増幅して出力する増幅器を備え、前記増幅器を構成するデバイスの温度レベルを周期的に取得し、該温度レベルに基づいて所定の制御周期により前記デバイスの温度補正制御処理を行う無線基地局装置であって、
前記デバイスの温度レベルを取得する温度センサと、
前記温度センサにより周期的に取得される新旧の温度レベルの差を判定する温度レベル差判定部と、
前記温度レベル差判定部が判定した温度レベル差に対応して前記温度補正制御処理の制御周期を設定する制御周期設定手段と
を備えることを特徴とする無線基地局装置。
【発明の詳細な説明】
【技術分野】
【０００１】
本発明は、ソフトウエア制御によって作動させる増幅器を備えた無線基地局装置に関し、特に、増幅器に使用されるデバイスの温度を温度補正制御する機能を備えた無線基地局装置に関するものである。
【背景技術】
【０００２】
増幅器で使用されるデバイスの中には、温度変化によって特性が変化するデバイスがある。デバイスの特性が、無線基地局装置で使用される温度範囲において許容できないレベルとなった場合は、それぞれの温度レベルに応じてデバイスの制御値を補正する必要がある。
【０００３】
図５は、従来の温度補正制御によってデバイスの制御値を補正する制御の流れを示すフローチャートである。図５において、周期的に割込む周期タイマのトリガ信号によって温度補正の制御処理が開始されると、先ず、該当するデバイスの温度レベルが取得される（ステップＳ３１）。
【０００４】
次に、取得された温度レベルに対応するデバイス設定値の温度補正値を算出する（ステップＳ３２）。そして、算出された温度補正値に基づいてデバイス設定値である温度補正制御値（ハードウエア制御値）を算出する（ステップＳ３３）。さらに、算出されたデバイス設定値（ハードウエア制御値）を設定するためのハードウエア設定処理を行い（ステップＳ３４）、温度補正の制御処理を終了する。
【０００５】
以上のような一連の制御処理は、あらかじめ決められた周期で動作する割込み又はタイマ通知をトリガとすることによって実行される。
【０００６】
尚、電力増幅素子の温度レベルを一定周期で観測して冷却用のファンを制御する電力増幅器の冷却制御の技術が知られている（例えば、特許文献１参照）。この技術によれば、デバイスの温度変化に応じて冷却用ファンの動作制御を行うことにより、増幅器の動作停止時の温度変化を緩やかにした冷却制御を行うことができるので、増幅器に使用されるデバイスの熱ストレスや素子劣化を防止することができる。
【特許文献１】特開２００３−７８３５６号
【発明の開示】
【発明が解決しようとする課題】
【０００７】
しかしながら、図５で示すフローチャートのように、あらかじめ決められた一定の制御周期によってデバイスの設定処理が行われる場合、制御周期が長すぎるときはデバイスの急激な温度変化に追従することができないために、デバイスに対して正常な温度補正処理を実行することができない。また、制御周期が短すぎるときは、増幅器全体のソフトウエア処理における補正処理比率が高くなるために、メモリ容量の関係から無線基地局装置に搭載できる機能が制限されてしまう。
【０００８】
本発明は、以上のような問題点に鑑みてなされたものであり、デバイスの温度補正制御処理の制御周期を温度レベルに基づいて切り換えることにより、効率的にデバイスの温度補正制御を実施して、より多くの機能を搭載することができる無線基地局装置を実現することを目的とするものである。
【課題を解決するための手段】
【０００９】
上記の課題を解決するため、本発明の無線基地局装置は、入力信号を増幅して出力する増幅器を備え、前記増幅器を構成するデバイスの温度レベルを周期的に取得し、該温度レベルに基づいて所定の制御周期により前記デバイスの温度補正制御処理を行う無線基地局装置であって、前記デバイスの温度レベルを取得する温度センサと、前記温度センサにより周期的に取得される新旧の温度レベルの差を判定する温度レベル差判定部と、前記温度レベル差判定部が判定した温度レベル差に対応して前記温度補正制御処理の制御周期を設定する制御周期設定手段とを備えることを特徴とする。
【００１０】
このような構成によれば、例えば、実施の形態に示されるように、無線基地局装置の温度レベルに応じたデバイス設定値（温度補正制御値）の設定周期を、デバイスから前回検出した温度レベルと今回検出した温度レベルとの差分（温度レベル差）に基づいて更新することができる。従って、温度レベル差が小さいときはデバイス設定値（温度補正制御値）の設定周期を長くし、温度レベル差が大きいときはデバイス設定値（温度補正制御値）の設定周期を短くすることができるので、制御対象の変動の速さに応じた最適な状態でデバイスの温度補正制御処理を行うことが可能となる。
【発明の効果】
【００１１】
本発明によれば、無線基地局の増幅器を構成するデバイスの状態変化速度に応じて制御周期を変更することにより、デバイスに対してより効率的な温度補正の制御を実施することができる。その結果、無線基地局装置により多くの機能を搭載することが可能となる。
【発明を実施するための最良の形態】
【００１２】
先ず、本発明の実施の形態における無線基地局装置に搭載される増幅器の温度補正処理の概要について説明する。本発明の無線基地局装置に係る増幅器の温度補正処理においては、制御可能な最短周期において制御周期をチェックし、制御する周期である場合に、増幅器のデバイスに対して温度補正処理の制御を実行する。さらに、デバイスに対して温度補正処理の制御を実行しているときに温度レベルを取得し、前回の取得した温度レベルと今回取得した温度レベルとを比較し、両者の温度レベルの差分に応じてデバイスの温度補正処理の最適な制御周期を決定する。尚、温度補正処理の制御周期は最短周期の倍数で指定される。
【００１３】
次に、本発明の無線基地局装置に搭載される増幅器の温度補正処理の実施形態について詳細に説明する。図１は、本発明に係る無線基地局装置の構成を示すブロック図である。図１において、無線基地局装置１は、オペアンプなどの増幅素子等のデバイス３と抵抗Ｒ及びコンデンサＣとを組み合わせた回路構成によって電力増幅を行う増幅器２と、デバイス３の温度補正制御を行う制御ユニット５とを備えて構成されている。尚、デバイス３の近傍には温度センサ４が配置され、この温度センサ４がデバイス３の温度レベルを検出して制御ユニット５へ温度レベル情報を送信している。
【００１４】
制御ユニット５は、前回検出したデバイス３の温度レベルを格納するメモリ６と、メモリ６から取り出した前回検出のデバイス３の温度レベルと温度センサ４から取得した今回検出したデバイス３の温度レベルとを比較して、両者の温度レベルの差分（以下、温度レベル差という）を判定する温度レベル差判定部７と、温度レベル差判定部７が判定した温度レベル差に対応した最適な制御周期に応じて制御周期を更新する制御周期更新手段８とを備えている。
【００１５】
次に、図１に示す無線基地局装置１について、デバイス３の温度補正制御を行うデバイス設定値（つまり、ハードウエア温度補正制御値）の制御処理について概略的に説明する。増幅器２のデバイス３の温度レベルは温度センサ４によって温度レベルとして常時検出され、そのデバイス３の温度レベルは、周期的なタイマ信号又は割込み信号をトリガとして、所定のタイミングで制御ユニット５の温度レベル差判定部７へ送信される。
【００１６】
すると、温度レベル差判定部７は、今回取得したデバイス３の温度レベルとメモリ６に格納されている前回取得したデバイス３の温度レベルとの差分（温度レベル差）を算出し、その温度レベル差を制御周期更新手段８へ送信する。すると、制御周期更新手段８は、温度レベル差判定部７から取得した温度レベル差に応じて温度補正処理の制御周期を切り換えて、デバイス３の温度補正制御を行うデバイス設定値（ハードウエア温度補正制御値）を決定してデバイス３の温度補正制御処理を実行する。つまり、無線基地局装置１の温度レベルに応じたデバイス設定値の設定の周期を、前回の温度レベルと今回の温度レベルの差分（温度レベル差）からデバイス設定値の設定周期を変えている。
【００１７】
次に、フローチャ−トを用いて、デバイス３の温度レベル補正制御処理の流れを詳細に説明する。図２は、本発明の無線基地局装置に搭載された増幅器において、温度レベル補正制御によってデバイスの制御値を補正する制御処理の流れを示すフローチャートである。
【００１８】
図２において、先ず、制御可能な最短周期での割込み又はタイマ通知によって増幅器の温度レベル補正制御が開始されると、最初に制御周期チェック用の周期カウンタを“１”加算するためのインクリメント処理が行われる（ステップＳ１）。次に、あらかじめ指定された制御周期とチェック用の制御周期カウンタとが比較され、増幅器の温度レベル補正処理の制御を実行するか否かがチェックされる（ステップＳ２）。ここで、温度レベル補正処理の制御する周期では無いと判断された（つまり、制御未実行）場合は、増幅器の温度レベル補正の制御処理を終了する。
【００１９】
一方、ステップＳ２において温度レベル補正処理の制御が実行する周期であると判断された（つまり、制御実行）場合は、増幅器の温度レベル補正の制御処理を実行する。すなわち、該当するデバイスの温度レベルが取得され（ステップＳ３）、次に、取得された温度レベルに対応するデバイス設定値の温度レベル補正値が算出される（ステップＳ４）。そして、算出された温度レベル補正値に基づいてデバイス設定値（つまり、ハードウエア温度レベル補正制御値）が算出される（ステップＳ５）。さらに、算出されたデバイス設定値（ハードウエア温度レベル補正制御値）を設定するためのハードウエア設定処理が行われる（ステップＳ６）。尚、ステップＳ３からステップＳ６までの処理は図５に示した従来のデバイス設定処理と同様の処理である。
【００２０】
このようにしてデバイス設定処理が実行された後に、制御周期の算出更新処理が実行される。すなわち、最初に、前記のステップＳ３で行ったデバイス設定処理で取得した温度レベルと、前回のデバイス設定時に取得した温度レベルとを比較し、その差分（温度レベル差）を取得して温度レベルの変化の程度をチェックする（ステップＳ７）。
【００２１】
次に、前記のステップＳ７で取得した温度レベルの差分に応じた制御周期の値を取得する。すなわち、前回取得した温度レベルと今回取得した温度レベルの差分が小さければ制御周期を長くし、温度レベルの差分が大きければ制御周期を短くするようにしてステップＳ２の制御周期を更新し（ステップＳ８）、次回取得する温度レベルと比較するために今回取得した温度レベルを格納して（ステップＳ９）、制御処理を終了する。
【００２２】
図３は、図２のフローチャートに適用される前回取得した温度レベルと今回取得した温度レベルとの差分ごとの制御周期の図表であり、図３の図表を用いて図２のステップＳ８で示した制御周期の更新処理が行われる。図３に示すように、前回取得した温度レベルと今回取得した温度レベルとの温度レベル差の絶対値の大きさによって、それぞれ異なる制御周期を決定する。
【００２３】
例えば、図３において、前回取得した温度レベルと今回取得した温度レベルとの温度レベル差が０〜１℃というように小さいときは次回の制御周期を５ｓｅｃに長くするが、前回取得した温度レベルと今回取得した温度レベルとの差が大きくなるにしたがって制御周期を短くする。すなわち、前回と今回の温度差が１０℃というように大きいときは、次回の制御周期を１００ｍｓｅｃに短くする。
【００２４】
また、制御周期を段階的に変化させる処理を行って次回の制御周期を決定してもよい。図４は、制御周期を段階的に変化させて次回の制御周期を決定する処理の流れを示すフローチャートである。
【００２５】
図４に示すような段階的な制御周期の処理は、図３の図表で示したような前回（旧）と今回（新）の温度レベル差対応の制御周期をピーク周期として定義し、現在の制御周期（つまり、前回取得した制御周期Ｔ１）が今回取得したピーク周期Ｔ２よりも小さい（Ｔ１＜Ｔ２）場合は今回取得したピーク周期Ｔ２を適用し、それ以外の場合（つまり、前回取得した制御周期Ｔ１が今回取得したピーク周期Ｔ２以上（Ｔ１≧Ｔ２）のときには段階的に制御周期を長くしていく。例えば、図３の図表に従えば、１００ｍｓ、２００ｍｓ…５ｓｅｃと言うように段階的に制御周期を遅くして行く。
【００２６】
ここで、前回取得した制御周期Ｔ１が今回取得したピーク周期Ｔ２以上で段階的に制御周期を遅くして行く方法は、図４に示すように、制御周期の取得が開始されると、先ず、取得した温度レベル差から、対応する制御周期（ａ）を取得する（ステップＳ１１）。尚、対応する制御周期とは、図３で定義したような温度レベル差に対応する制御周期である。
【００２７】
次に、次期制御周期候補（β）とステップＳ１１で取得した制御周期（ａ）とを比較する。ここで、次期制御周期候補（β）は現在制御周期（ｂ）から規定の周期時間（α：α＝１００ｓｅｃ）をインクリメントした値とする。つまり、（β：ｂ＋α）をチェックする（ステップＳ１２）。尚、αは制御周期変更量である。
【００２８】
次に、ａ＞βの場合は次期制御周期＝ａとする（ステップＳ１３）。また、ａ≦βの場合は次期制御周期＝βとする（ステップＳ１４）。
【００２９】
最後に、次回の制御周期算出用に、今回取得した温度レベルを格納して（ステップＳ１５）、制御周期の取得処理を終了する。以上のような制御処理の方法によって温度レベル変化に応じた制御周期でデバイスの温度補正制御処理を実施する。
【図面の簡単な説明】
【００３０】
【図１】本発明に係る無線基地局装置の構成を示すブロック図である。
【図２】本発明の無線基地局装置に搭載された増幅器において、温度補正制御によってデバイスの制御値を補正する制御処理の流れを示すフローチャートである。
【図３】図２のフローチャートに適用される前回取得した温度レベルと今回取得した温度レベルとの差分ごとの制御周期の図表である。
【図４】制御周期を段階的に変化させて次回の制御周期を決定する処理の流れを示すフローチャートである。
【図５】従来の温度補正制御によってデバイスの制御値を補正する制御の流れを示すフローチャートである。
【符号の説明】
【００３１】
１  無線基地局装置、２  増幅器、３  デバイス、４  温度センサ、５  制御ユニット、６  メモリ、７  温度レベル差判定部、８  制御周期更新手段。
【図１】
2009188472.tif 000003
【図２】
2009188472.tif 000004
【図３】
2009188472.tif 000005
【図４】
2009188472.tif 000006
【図５】
2009188472.tif 000007